(57)【要約】【課題】両側に引き出し可能な引き出し部材のための引き込みおよび緩衝装置を提供すること。【解決手段】本発明に係る引き込みおよび緩衝装置は、カム（１１）を備える、前記引き出し部材（１）の引き出し方向に対して横方向に移動可能なスライド部材（９）を有している。前記スライド部材は前記ボックスに固定され、バネ手段（１５，１６）を介して閉鎖位置に引っ張り可能である。前記カム（１１）は前記引き出し部材（１）に固定されている屈曲部と協働し、前記屈曲部は前記引き出し部材の閉鎖位置に凹部（１９）を有しており、前記凹部にスライド部材（９）上のカム（１１）が前記バネ手段（１５，１６）によって前記引き出し部材（１）の閉鎖位置において押圧可能である。【選択図】図１
2007203079.tif 000002
【特許請求の範囲】
【請求項１】
両側に引き出し可能な自立型ボックスのための引き出し部材（１）、とりわけ引出しのための引き込みおよび緩衝装置（Einzieh-und Daempfungseinrichtung）であって、前記引き出し部材はリニアガイド（２）の引き出し方向に移動可能に支持されており、前記引き出し部材の正面の端部領域にはそれぞれ、着脱可能なロック装置（１８）が設けられた被覆部を備え、前記ロック装置によって前記被覆部はそれぞれ、前記引き出し部材（１）の引き出し側の正面において、または前記ボックスにおいてロック可能であり、
前記引き込みおよび緩衝装置は、前記ボックスに固定され、かつバネ手段（１５，１６）を介して閉鎖位置に引っ張り可能であるカム（１１）を備える、前記引き出し部材（１）の引き出し方向に対して横方向に移動可能なスライド部材（９）を有し、前記カム（１１）は前記引き出し部材（１）に固定されている屈曲部と協働し、前記屈曲部は前記引き出し部材（１）の閉鎖位置に凹部（１９）を有しており、前記凹部にスライド部材（９）上のカム（１１）が前記バネ手段（１５，１６）によって前記引き出し部材（１）の閉鎖位置において押圧可能であることを特徴とする引き込みおよび緩衝装置。
【請求項２】
前記屈曲部は凹部（１９）から両側へと第１の屈曲レール（２０）を有しており、前記スライド部材（９）のカム（１１）は前記引き出し部材（１）をボックスに挿入する際に前記第１の屈曲レールに沿って進行することを特徴とする請求項１に記載の引き込みおよび緩衝装置。
【請求項３】
前記凹部（１９）から両側へと延伸する第１の屈曲レール（２０）の間には、使用されない屈曲レールを閉鎖する、旋回可能な舌状部材（２８）が取り付けられていることを特徴とする請求項２に記載の引き込みおよび緩衝装置。
【請求項４】
前記屈曲部は凹部（１９）から両側へと第２の屈曲レール（２１）を有しており、前記スライド部材（９）のカム（１１）は前記引き出し部材（１）をボックスから引き出す際に前記第２の屈曲レールに沿って進行し、前記第２の屈曲レールは前記凹部（１９）から、前記第１の屈曲レール（２０）よりも小さい傾斜を有しており、前記屈曲部は第２の屈曲レール（２１）を再び第１の屈曲レール（２０）に連通することを特徴とする請求項１から３のいずれかに記載の引き込みおよび緩衝装置。
【請求項５】
前記屈曲部の凹部（１９）の反対を向いた外側領域には第３の屈曲レール（２９）が設けられており、前記第３の屈曲レールはそれぞれ前記引き出し部材（１）の引き出し側へ下降する形状を有していることを特徴とする請求項１から４のいずれかに記載の引き込みおよび緩衝装置。
【請求項６】
前記スライド部材（９）はロック装置（１８）と協働し、前記ロック装置によって前記カム（１１）を備えるスライド部材（９）は前記閉鎖位置に対向する、完全に引き出された位置でロック可能であることを特徴とする請求項１から５のいずれかに記載の引き込みおよび緩衝装置。
【請求項７】
前記ロック装置（１８）にはロック位置からロック解除位置へ旋回可能な掛け金（２２）が設けられており、前記掛け金は前記屈曲部に設けられた別の屈曲レール（２３）を介して制御可能であることを特徴とする請求項６に記載の引き込みおよび緩衝装置。
【請求項８】
前記スライド部材（９）には前記バネ手段（１５，１６）と協働する緩衝部材（２７）が備えられていることを特徴とする請求項１から７のいずれかに記載の引き込みおよび緩衝装置。
【請求項９】
前記バネ手段（１５，１６）は両側から前記スライド部材（９）に取り付けられた引張バネであり、および前記緩衝部材（２７）は前記二つの引張バネ（１５，１６）の間に取り付けられているピストンシリンダユニットであることを特徴とする請求項８に記載の引き込みおよび緩衝装置。
【請求項１０】
前記屈曲部は、とりわけプラスチック製のプレート（１３）からなり、および前記プレート（１３）にある屈曲レール（２０，２１，２９）は切削されたレールであることを特徴とする請求項１から９のいずれかに記載の引き込みおよび緩衝装置。
【請求項１１】
前記カム（１１）は軸（３０）に回転可能に配置された滑車（３２）として形成されていることを特徴とする請求項１から１０のいずれかに記載の引き込みおよび緩衝装置。
【発明の詳細な説明】
【技術分野】
【０００１】
本発明は、両側に引き出し可能な自立型ボックスのための引き出し部材、とりわけ引出しのための引き込みおよび緩衝装置に関するものであって、前記引き出し部材はリニアガイドの引き出し方向に移動可能に支持されており、および前記引き出し部材の正面端部領域にはそれぞれ、着脱可能なロック装置が設けられている被覆部が備えられており、前記ロック装置によって前記被覆部はそれぞれ、前記引き出し部材の引き出し側の正面において、または前記ボックスにおいてロック可能である。
【背景技術】
【０００２】
片側のみボックスから引き出し可能な引き出し部材、とりわけ引出しには、異なる種類の引き込みおよび緩衝装置は公知である。前記引き込みおよび緩衝装置は前記引き出し部材を挿入する際に挿入路の最後の領域を制御するという目的を有しており、その結果前記引き出し部材は挿入位置へ引かれ、この引き込みは緩衝して行われる。前記装置によって、たとえば引き出し部材を挿入する際に大きな騒音を引き起こす強い衝撃が生じるのが防止される。その種の装置によって、引き出し部材は挿入路の最後の領域でブレーキをかけられ、緩衝して完全に挿入された位置へと導かれる。
【０００３】
両側に引き出し可能な自立型ボックスのための引き出し部材において、挿入位置からの移動は両方向に実施されるので、この種の公知の引き込みおよび緩衝装置はこの種の使用には最適に適合されていない。前記引き込みおよび緩衝装置は両側に引き出し可能な引き出し部材の前面被覆部と同じように、両側に設けられていなければならず、挿入位置への、引き出し部材の両側での自動的な引き込みおよび緩衝が達成可能であるように、各引き込みおよび緩衝装置は、連結および切り離し可能でなければならない。
【発明の開示】
【発明が解決しようとする課題】
【０００４】
したがって本発明の課題は、両側に引き出し可能な引き出し部材のための引き込みおよび緩衝装置を提供するという点にあり、前記装置は両側から挿入される引き出し部材を閉鎖位置へ引き込みかつ緩衝する。
【課題を解決するための手段】
【０００５】
本発明によればこの課題は、前記引き込みおよび緩衝装置が、前記ボックスに固定され、かつバネ手段を介して閉鎖位置に引っ張り可能であるカムを備える、前記引き出し部材の引き出し方向に対して横方向に移動可能なスライド部材を有し、および前記カム（１１）は前記引き出し部材に固定されている屈曲部と協働し、および前記屈曲部は前記引き出し部材の閉鎖位置に凹部を有しており、前記凹部にスライド部上のカムが前記バネ手段によって前記引き出し部材の閉鎖位置において押圧可能である、ことによって解決される。
【０００６】
この単純に構成された引き込みおよび緩衝装置によって、両側から挿入される引き出し部材に対して所望の引き込みおよび緩衝機能が最適に満たされる。
【０００７】
好ましくは、前記屈曲部は凹部から両側へ第１の屈曲レールを有しており、前記スライド部材のカムは前記引き出し部材をボックスに挿入する際に前記第１の屈曲レールに沿って進行する。それによって前記ボックスへの引き出し部材の引き込みプロセスの際に最適な移動の進行(Bewegungsablauf)が達成される。
【０００８】
好ましくは、前記凹部から両側に延伸する第１の屈曲レールの間には、使用されない屈曲レールを閉鎖する、旋回可能な舌状部材が取り付けられている。前記舌状部材によって、前記カムが対応する屈曲レールに沿って進行する際、前記カムがレールから外れるのが防止される。
【０００９】
本発明のさらなる有利な実施形態は、前記屈曲部は凹部から両側へ第２の屈曲レールを有しており、前記スライド部材のカムは前記引き出し部材をボックスから引き出す際に前記第２の屈曲レールに沿って進行し、前記第２の屈曲レールは前記凹部から、前記第１の屈曲レールよりも小さい傾斜を有しており、かつ前記屈曲部は第２の屈曲レールを再び第１の屈曲レールに連通する、という点にある。前記レールの傾斜が小さいことによって、前記引き込みおよび緩衝装置のバネ手段による引張がより小さい力で可能になるということが達成される。
【００１０】
好ましくは、前記屈曲部の凹部の反対を向いた外側領域には第３の屈曲レールが設けられており、前記第３の屈曲レールはそれぞれ前記引き出し部材の引き出し側へ下降する形状を有している。それによって、前記引き出し部材が引き出された状態において前記スライド部材が何らかの理由により閉鎖位置に引き戻された場合、前記バネが再び引張されることによって、前記スライド部材は再び正しい位置へ運ばれる。
【００１１】
好ましくは、前記スライド部材はロック装置と協働し、前記ロック装置によって前記カムを備えるスライド部材は前記閉鎖位置に対向する、完全に引き出された位置でロック可能である。前記ロック装置によって、前記引き出し部材が完全に引き出された状態において前記バネが弛緩し、挿入の際に、すなわち自主的な引き込みおよび緩衝が始まる前に、再び引張されなければならないということが回避される。
【００１２】
好ましくは、前記ロック装置にはロック位置からロック解除位置へ旋回可能な掛け金が設けられており、前記掛け金は前記屈曲部に設けられた別の屈曲レールを介して制御可能である。それによって前記ロック装置の単純な構造が得られる。
【００１３】
好ましくは、前記スライド部材には前記バネ手段と協働する緩衝部材が備えられており、それによって最適な効果が達成される。
【００１４】
好ましくは、前記バネ手段は両側から前記スライド部材に取り付けられた引張バネであり、および前記緩衝部材は前記二つの引張バネの間に取り付けられているピストンシリンダユニットである。それによって最適な機能が得られる。
【００１５】
本発明のさらなる有利な実施形態は、前記屈曲部が、とりわけプラスチック製のプレートからなり、および前記プレートにある屈曲レールが切削されたレールである、という点にある。このことは単純な製造方法を生み出す。
【００１６】
好ましくは、前記カムは軸に回転可能に配置された滑車として形成されている。前記滑車はより小さい摩擦でレール上を転がることができる。
【発明を実施するための最良の形態】
【００１７】
以下において本発明の実施形態を添付された図面を用いて例示的に詳しく説明する。
【００１８】
図１には、引出しの形を有する引出し部材１が（一点破線によって）立体図で示されている。前記引出しはリニアガイド２に沿って、図示されていないボックスから両方向矢印３の方向、すなわち両側に引き出し可能である。ここで前記リニアガイド２の一方の部材４が前記引出し１に固定されているのに対して、前記リニアガイド２の他方の部材５は図示されていないボックスに固定されている。前記リニアガイドの他方の部材５は角状部材６を有している。前記リニアガイド２の領域には前記ロック装置７が図示されており、前記ロック装置によって図示されていない後方被覆部が前記引出し１とともにロックされる。前記被覆部が引き出し可能な側で前記引出しと接続される一方、前記対向する被覆部が前記ボックスと接続されるのを実現するような前記ロック装置７が、もちろん前記引出し１の各角領域に設けられている。別の方向に前記引出し１を引き出す際に前記ロック装置は、それぞれ前記引出しの引き出し側にある被覆部が常に前記引出しとともにロックされる一方、前記対向する被覆部はそれぞれ前記ボックスとともにロックされるということを実現する。
【００１９】
図示されていない前記ボックスと不動に接続された角状部材６には、レール８が固定されており、前記レールにおいて前記スライド部材９が移動可能に支持されている。両方向矢印１０によって示されている、前記スライド部材９の移動方向は、前記引出しの引き出し方向に対して垂直に、そのため両方向矢印３に対して垂直にある。前記スライド部材９には、カム１１が備えられている。
【００２０】
前記引出し１の底部１２の下側にはプレート１３が固定されており、前記プレートには、この後さらに詳細に説明されるように、複数の屈曲レールが設けられている。プラスチック製の前記プレート１３には下側から見て、屈曲部が削り成形されており、前記プレートの平らな面は前記引出しの底部１２の下側に当接する。前記屈曲部が削り成形されているプレートを使用する代わりに、前記屈曲部をすでに有する、既製のプラスチック製の射出成形部品が製造および使用されてもよい。
【００２１】
前記スライド部材９には取付具１４が設けられており、その脚部にはそれぞれ一つの引張バネ１５および１６が取り付けられている。前記引張バネ１５および１６の他方の端部は、それぞれクロスバー１７の端部に取り付けられており、前記クロスバーは前記リニアガイド２の反対を向いた前記レール８の端部に固定されている。前記引張バネ１５および１６を介して、前記カム１１を備えるスライド部材９は前記クロスバー１７へ引かれ、この後さらに詳細に説明されるように、それによって前記カム１１は前記プレート１３の屈曲部に押圧される。前記カム１１に当接する領域において、前記レール８にはさらに一つのロック装置１８が取り付けられており、前記ロック装置は同じくこの後さらに詳細に説明される。
【００２２】
前記引き込みおよび緩衝装置の操作原理は、図２ないし図７を用いて説明される。これらの図から明らかなように、前記プレート１３の中央領域には凹部１９が設けられている。前記凹部１９から両側へそれぞれ第１の屈曲レール２０と第２の屈曲レール２１が延伸する。図２に示される状態において、前記引出し１は前記ボックス内の挿入された位置にある。したがって前記プレート１３は前記カム１１に対して対称であり、これは、前記カム１１が前記屈曲部の凹部１９にあるということを意味し、つまり前記スライド部材９は引き戻された位置にあり、これは引張バネ１５および１６によって達成される。前記ロック装置１８の掛け金２２はロック解除された状態にある。
【００２３】
矢印２４に示されるように、図２の引出し１が前記プレート１３とともに右側へ引き出された場合、図３に示されるような状態が得られる。前記カム１１は前記凹部１９から離れて、左側の第２の屈曲レール２１に沿って進行する。前記第２の屈曲レール２１が隆起することによって、前記スライド部材９は前記バネ力１５および１６に抗して前記ロック装置１８へ移動させられる。前記二つの引張バネ１５および１６が引っ張られる。前記別の屈曲レール２３によって制御されるロック装置の掛け金２２が、解除される。しかしながら前記スライド部材９はまだロックされない。
【００２４】
図４に示されるように、矢印２４の方向に前記引出し１をさらに引き出す際に、前記カム１１は前記第２の屈曲レール２１の最高点に到達し、したがって前記スライダ９は完全に引き出された位置にあり、前記ロック装置１８の掛け金２２は前記スライド部材９に設けられたスリット２６に掛けられる。前記バネ１５および１６はいまや完全に引っ張られた状態にある。
【００２５】
図５に示されるように、前記引出し１をさらに完全に引き出すことができる。前記スライド部材９設けられたスリット２６内に掛けられる掛け金２２によって、前記スライド部材は完全に引き出された位置にとどまる。前記バネ１５および１６は完全に引っ張られている。
【００２６】
図６に示されるように、前記引出し１を矢印２５の方向の挿入位置へ再び押し戻すことができる。前記スライド部材９は、相変わらずロックされた位置にある。したがって前記カム１１は前記引出し１が押し戻される際に、前記第２の屈曲レール２１にそれ以上従わず、前記第１の屈曲レール２０へ進入する。図６に示されるように、前記カム１１が前記第１の屈曲レール２０に到達したとき、前記掛け金２２は前記別の屈曲レール２３の作用領域に到達する。矢印２５の方向に前記引出しをさらに押し動かす際に、前記掛け金２２は前記別の屈曲レール２３によって持ち上げられて、前記スリット２６から解放される。
【００２７】
図７に示されるように、前記第１の屈曲レール２０の下降が始まる、前記第１の屈曲レール２０の点に達したとき、引っ張られた前記二つの引張バネ１５および１６は前記スライド部材９を、下降する前記第１の屈曲レール２０に沿って前記凹部１９へ引く。前記スライド部材９の引き込みがそんなに迅速に行われないように、前記取付具１４およびクロスバー１７には、それぞれ緩衝部材２７の一方の端部が連結されている。公知にはピストンシリンダユニットである前記緩衝部材２７は、前記スライド部材９の引き込み移動の緩衝を実現し、したがって前記引出し１は優しく(sanft)挿入位置へ引かれる。ここで前記カム１１は、凹部１９に達するまで、前記第１の屈曲レール２０に沿って進行する。
【００２８】
前記第１の屈曲レール２０を進行する間前記カム１１が何らかの操作によって、対称に配置された第１の屈曲レール２０に進入し、移動の進行が妨害されるのを防止するために、二つの前記第１の屈曲レール２０の間には旋回可能な舌状部材２８が配置されている。前記旋回可能な舌状部材２８は前記引出し１が挿入される際に、それぞれ使用されない屈曲レール２０を閉鎖する。それによってより確実な進行が達成される。完全に挿入された位置において、図２に示されたような状態が再び達成される。
【００２９】
ここから前記引出し１は前述された別の側へも引き出される。ここで図２ないし図７に示されたのとちょうど対称的に、手順が進行する。
【００３０】
前記凹部１９から見て第２の屈曲レール２１の隆起は、同じく前記凹部１９から見た第１の屈曲レール２０の隆起よりも少ない。したがって、前記第２の屈曲レール２１のより小さい隆起によって、前記引出しが挿入された位置から引き出される際に前記引張バネ１５および１６を引っ張るための力が比較的小さくなる。それによって前記引出し１はより小さな力で挿入された位置から引き出し位置へ移動させられる。前記凹部１９から見た第１の屈曲レール２０のより大きい隆起によって、前記引出し１を挿入位置に引き込むための引き込みプロセスはより大きな力で行われる。それによって、前記スライド部材９とカム１１が協働する引張バネ１５および１６の引張力によって、前記引出し１が完全に挿入された位置へ引き動かされるということが保証される。
【００３１】
何らかの理由から前記引出し１が引き出された状態で前記ロック装置１８の掛け金２２が解除され、これは前記バネ１５および１６の引張力によって行われるのだが、それによって前記スライド部材９が引き戻された位置へ移動させられる場合、前記引出し１のそれぞれの引き出し側へ下降する形状を有する、前記凹部１９の反対を向いた外側領域に第３の屈曲レール２９が設けられている。その場合前記引出し１が挿入される際に、前記カム１１は前記第３の屈曲レール２９の上を進行し、前記スライド部材９は前記引張バネ１５および１６の引張力に抗して押し上げられ、次いで前記第３の屈曲レール２９の最上領域において前記掛け金２２が前記スライド部材９のスリット２６に掛けられ、前記スライド部材９は再び、前記第１の屈曲レール２０に進入する際に望まれるような予張された位置に留まる。
【００３２】
図８aおよび８ｂに前記カム１１が備えられているスライド部材９が示される。ここで前記カムは前記第１の屈曲レール２０に当接している。同じく図８aおよび８ｂにおいて、前記掛け金２２が軸３０を中心に旋回可能に保持されているロック装置１８が示される。図８aにおいて、前記スライド部材９はロック位置にある。したがって前記掛け金２２は前記別の屈曲レール２３の作用領域の外側にあり、前記掛け金２２を前記スライド部材９のスリット２６に掛けるように、前記掛け金２２は圧縮バネを３１を介して旋回される。前記引出しを押し動かす際に前記掛け金２２が前記別の屈曲レール２３の作用領域に到達したとき、前記掛け金２２は前記圧縮バネ３１のバネ力に抗して前記軸３０を中心に旋回され、それによって前記掛け金は前記スライド部材９のスリット２６から持ち上げられ、前記スライド部材９はロック解除される。
【００３３】
同じく図８aおよび８ｂに示されるように、前記カム１１は滑車３２として形成されており、前記滑車は前記スライド部材９に固定されている軸ピン３３に回転可能に保持されている。それによってカム１１と屈曲レールの間に僅かな転がり摩擦しか生じず、このことは所望の機能の信頼性をより高くする。
【００３４】
両側に引き出し可能な引き出し部材、とりわけ引出しのための本発明に係わる引き込みおよび緩衝装置によって、挿入位置への引出しの自動的な引き込みが得られ、ここで前記移動の進行は緩衝手段によって非常に優しく行われる。
【図面の簡単な説明】
【００３５】
【図１】収納部と引き込みおよび緩衝装置を有する引き出し部材の部分立体図を示している。
【図２】前記引き出し部材が閉鎖位置にある、本発明に係わる引き出しおよび緩衝装置の概略平面図で示している。
【図３】前記引き出し部材を軽く引き出した状態の本発明に係わる引き出しおよび緩衝装置の概略図を示している。
【図４】前記引き出し部材をさらに引き出した状態の本発明に係わる引き出しおよび緩衝装置の概略平面図を示している。
【図５】前記引き出し部材が一方の側に完全に引き出されている、引き出しおよび緩衝装置の概略平面図を示している。
【図６】前記引き出し部材が挿入段階にある、引き出しおよび緩衝装置の概略平面図を示している。
【図７】前記引き出し部材がさらに奥に挿入された位置にある、引き出しおよび緩衝装置の概略平面図を示している。
【図８ａ】前記掛け金がロック位置にあるロック装置の断面図を示している。
【図８ｂ】前記掛け金が外された位置にあるロック装置の断面図を示している。
【符号の説明】
【００３６】
１  引き出し部材
２  リニアガイド
９  スライド部材
１１  カム
１３  プレート
１５，１６  バネ手段
１８  ロック装置
１９  凹部
２０  第１の屈曲レール
２１  第２の屈曲レール
２２  掛け金
２３  別の屈曲レール
２７  緩衝部材
２８  舌状部材
２９  第３の屈曲レール
３０  軸
３２  滑車
【図１】
2007203079.tif 000003
【図２】
2007203079.tif 000004
【図３】
2007203079.tif 000005
【図４】
2007203079.tif 000006
【図５】
2007203079.tif 000007
【図６】
2007203079.tif 000008
【図７】
2007203079.tif 000009
【図８ａ】
2007203079.tif 000010
【図８ｂ】
2007203079.tif 000011